(57)【特許請求の範囲】
【請求項１】
注出口具とこの注出口具に螺着する不正開封防止封緘リング付キャップとからなり、
不正開封防止封緘リング付キャップが、キャップ本体の周壁下端に周方向に等間隔に設けられた複数個の脆弱ブリッジを介して不正開封防止封緘リングを接続し、この不正開封防止封緘リングは、不正開封防止封緘リング付キャップを抽出口具に螺着したとき、抽出口具の環状台座部上にある不正開封防止封緘リング付口栓において、
この不正開封防止封緘リングの外周面に、下方開きに傾斜する複数個の仮係着フラップを、周方向に等間隔で上方縁部から下方縁部へ設けたことを特徴とする不正開封防止封緘リング付口栓。
【請求項２】
不正開封防止封緘リングの内周面に、複数個の係止フラップを周方向に等間隔で設け、注出口具の注出筒の外周面の雄ネジの下方に、不正開封防止封緘リングの係止フラップと係合する係止リングを設けたことを特徴とする請求項１記載の不正開封防止封緘リング付口栓。
【請求項３】
不正開封防止封緘リングの内周面に、複数個の係止ラチェット片を周方向に等間隔で設け、注出口具の注出筒の外周面の雄ネジの下方に、不正開封防止封緘リングの係止ラチェット片と係合する係止ラチェット突起を設けたことを特徴とする請求項１記載の不正開封防止封緘リング付口栓。
【発明の詳細な説明】
【技術分野】
【０００１】
本発明は、食品や非食品の液体内容物を収納する液体紙容器の注出位置に突設する口栓であり、液体紙容器の口栓取付孔に取り付けるときに、仮係着し易い不正開封防止封緘リング付口栓に関するものである。
【背景技術】
【０００２】
従来、流通過程や店頭での液体内容物を収納する液体紙容器の不正開封を防止するために、不正開封されたことが、商品を購入するときに、明確に確認することが可能な口栓として不正開封防止封緘リング付口栓が使用されていた。この不正開封防止封緘リング付口栓は、液体紙容器の注出位置に突設する注出口具に、不正開封防止封緘リング付キャップが螺着したものであった。不正開封防止封緘リング付キャップは、キャップ本体の周壁下端に破断可能な複数個の薄肉狭幅に設けられた脆弱ブリッジで、内周面に係止フラップ又は係止ラチェットを設けた不正開封防止封緘リングを接続するものであり、液体紙容器を開封するためにキャップ本体を螺脱方向へ回転すると、不正開封防止封緘リングの係止フラップ又は係止ラチェット片と、注出口具の注出筒の雄ネジの下方に設けられている係止リング又は係止ラチェット突起との係合作用によって、脆弱ブリッジが破断されて、キャップ本体と不正開封防止封緘リングとが分離するものであった。このキャップ本体と不正開封防止封緘リングとの分離は、キャップ本体で口栓を再封止しても、外観から容易に確認することができることから、流通過程や店頭での液体紙容器の不正開封の防止策として役立つものであった。
【発明の開示】
【発明が解決しようとする課題】
【０００３】
ところで、上述した従来の不正開封防止封緘リング付口栓（１０）は、図６に示すように、外周面下端に液体紙容器の内面と上面を熱融着するめのフランジ（２３０）を周設し上端外周面の周方向等間隔の４箇所に仮係着突起（２１１）を設ける環状台座部（２１０）上に、外周面に雄ネジとこの雄ネジの下方に係止リング又は係止ラチェット片を設ける注出筒（２２０）を立設した注出口具（２００）に、不正開封防止封緘リング付キャップ（１００）を螺着したものであった。この従来の不正開封防止封緘リング付口栓は、液体紙容器に口栓を内付けで取り付けるときには、まず、図６に示すように、液体紙容器（２０）の口栓取付孔（２１）に、不正開封防止封緘リング付キャップ（１００）が注出口具（２００）に螺着する口栓（１０）を、注出口具の環状台座部（２１０）まで突出させて、注出口具の環状台座部の仮係着突起（２１１）によって液体紙容器の口栓取付孔に仮係着したのち、液体紙容器の内面と口栓のフランジ（２３０）の上面とを超音波シール法などによって熱融着して取り付けるものであった。しかしながら、注出口具の環状台座部の仮係着突起（２１１）は、上下方向の長さにスペース的にとれる制約があるため小さく、液体紙容器の口栓取付孔に対する口栓の係着性が余り良くないことがあった。
【０００４】
本発明は、上述の従来の不正開封防止封緘リング付口栓の液体紙容器に取り付けるときの問題点を解決したものであり、液体紙容器の口栓取付孔に対する口栓の仮係着性が良好で、取り付け易い不正開封防止封緘リング付口栓を提供するものである。
【課題を解決するための手段】
【０００５】
すなわち、本発明の第１の発明は、注出口具とこの注出口具に螺着する不正開封防止封緘リング付キャップとからなり、
不正開封防止封緘リング付キャップが、キャップ本体の周壁下端に周方向に等間隔に設けられた複数個の脆弱ブリッジを介して不正開封防止封緘リングを接続し、この不正開封防止封緘リングは、不正開封防止封緘リング付キャップを抽出口具に螺着したとき、抽出口具の環状台座部上にある不正開封防止封緘リング付口栓において、
この不正開封防止封緘リングの外周面に、下方開きに傾斜する複数個の仮係着フラップを、周方向に等間隔で上方縁部から下方縁部へ設けたことを特徴とする不正開封防止封緘リング付口栓である。
【０００６】
次に、本発明の第２の発明は、不正開封防止封緘リングの内周面に、複数個の係止フラップを周方向に等間隔で設け、注出口具の注出筒の外周面の雄ネジの下方に、不正開封防止封緘リングの係止フラップと係合する係止リングを設けたことを特徴とする第１の発明に記載の不正開封防止封緘リング付口栓である。
【０００７】
そして、本発明の第３の発明は、不正開封防止封緘リングの内周面に、複数個の係止ラチェット片を周方向に等間隔で設け、注出口具の注出筒の外周面の雄ネジの下方に、不正開封防止封緘リングの係止ラチェット片と係合する係止ラチェット突起を設けたことを特徴とする第１の発明に記載の不正開封防止封緘リング付口栓である。
【発明の効果】
【０００８】
本発明の不正開封防止封緘リング付口栓（１０）は、図１に示すように、不正開封防止封緘リングの外周面に、下方開きに傾斜する複数個の仮係着フラップ（１２１）を周方向に等間隔で上方縁部から下方縁部へ設けるものであり、口栓を液体紙容器（２０）の口栓取付孔（２１）に仮係着するときに、従来の図６に示す注出口具（２００）の環状台座部（２１０）の仮係着突起（２１１）と比較して、上下方向の長さがスペース的に大きく取れるため、液体紙容器（２０）の口栓取付孔（２１）に対する仮係着性が良好であり、また、不正開封防止封緘リングの外周面に設けられた複数個の仮係着フラップが下方開きに傾斜しているため、口栓が一度挿着されると、仮係着フラップの下端の開きによって、口栓が液体紙容器の口栓取付孔から抜けにくい。
【０００９】
また、本発明の不正開封防止封緘リング付口栓（１０）は、図３及び図５に示すように、不正開封防止封緘リング（１２０）の外周面に設けられた仮係着フラップ（１２１）は、上端から下端へ下方開きの傾斜面になっているため、口栓を図１に示す液体紙容器（２０）（２点鎖線で示す）の口栓取付孔（２１）に仮係着するときに、液体紙容器の口栓取付孔に口栓を挿着しやすく、取り付けやすい。
【発明を実施するための最良の形態】
【００１０】
次に、本発明の不正開封防止封緘リング付口栓の一実施形態について、図を用いて詳細に説明する。
【００１１】
図１は、実施形態１及び２の不正開封防止封緘リング付口栓の正面図である。図２は、不正開封防止封緘リングの外周面に、仮係着フラップを設け、内周面に、係止フラップを設けた実施形態１の不正開封防止封緘リング付キャップの底面図であり、図３は、その不正開封防止封緘リングの外周面に設けられた仮係着フラップ及び内周面に設けられた係止フラップの状態を示す説明図である。図４は、不正開封防止封緘リングの外周面に、仮係着フラップを設け、内周面に、係止ラチェット片を設けた実施形態２の不正開封防止封緘リング付キャップの底面図であり、図５は、その不正開封防止封緘リングの外周面に設けられた仮係着フラップ及び内周面に設けられた係止ラチェット片の状態を示す説明図である。
【００１２】
実施形態１及び２の不正開封防止封緘リング付口栓（１０）は、図１に示すように、液体紙容器（２０）（２点鎖線で示す）の口栓取付孔（２１）に内付けで熱融着により突設される注出口具（２００）と、この注出口具に螺着する不正開封防止封緘リング付キャップ（１００）とからなるものである。そして、不正開封防止封緘リング付キャップは、使用するときに、破断される脆弱箇所があるため、ポリエチレンのような破断可能な熱可塑性樹脂を用いて、射出成形法により作製されるものである。また、注出口具は、液体紙容
器の内面と熱融着可能なポリエチレンやポリプロピレンなどの熱可塑性樹脂を用いて、射出成形法により作製されるものである。
【００１３】
実施形態１の不正開封防止封緘リング付キャップ（１００）の構造は、図１に示すように、キャップ本体（１１０）の周壁（１１１）下端に周方向に等間隔に設けられた８個の薄肉小幅の脆弱ブリッジ（１０１）を介して不正開封防止封緘リング（１２０）を接続し、この不正開封防止封緘リングの外周面に、図１及び図３に示すように、下方開きに傾斜する４個の仮係着フラップ（１２１）を周方向に等間隔で上方縁部から下方縁部へ設け、内周面の下方に、図２及び図３に示すように、１０個の係止フラップ（１２２）を設けるものである。なお、キャップ本体の天板下面には、通常、必要に応じて、注出口具の注出筒の口部を封止するインナー封止リング（外周面を口部内周面に密着）又はコンタクト封止リング（下方先端を口部天面に密着）などを設けるものであり、また、図３に示すように、キャップ本体（１１０）の周壁（１１１）の内周面には注出口具との雌ネジ（１１２）を設けるものである。
【００１４】
そして、注出口具（２００）の構造は、図１に示すように、外周面下端に液体紙容器（２０）の内面と上面を熱融着するためのフランジ（２３０）を設ける環状台座部（２１０）上に、外周面に雄ネジとこの雄ネジの下方に不正開封防止封緘リング（１２０）の係止フラップと係合する係止リングを設ける注出筒（２２０）を立設するものである。なお、必要に応じては、流通過程や店頭における密封保持のため、注出筒の内側下方に封鎖板を設けて封鎖し、封鎖板の開封予定位置に、下面に環状切込みを設けて上面に環状薄肉脆弱線を形成し、この環状薄肉脆弱線の内側近傍位置の一箇所に、先端にプルリングをもつ支柱を立設するものである。この口栓は、キャップを注出口具から螺脱したのち、注出筒内に収容させれいるプルリングを上方で引っ張ることにより、封鎖板の環状薄肉脆弱線を破断して、注出口具を開封することができる。
【００１５】
実施形態２の不正開封防止封緘リング付キャップ（１００）の構造は、図４に示すように、不正開封防止封緘リングの内周面に、４個の係止ラチェット片（１２３）を周方向に等間隔で設け、注出口具の注出筒の外周面に、キャップとの雄ネジとこの雄ネジの下方に不正開封防止封緘リングの係止ラチェット片と係合する４個の係止ラチェット突起を周方向に等間隔で設けるものである。これ以外は、実施形態１の不正開封防止封緘リング付キャップと同様である。なお、係止ラチェット片の形状は、キャップを注出口具に螺着するときに、注出口具の係止ラチェット突起を乗り越えられるように螺着方向側に傾斜滑面を設け、キャップを注出口具から螺脱するときに、注出口具の係止ラチェット突起と係合するように螺脱方向側に係合面を設けるものである。また、係止ラチェット突起の形状は、キャップを注出口具に螺着するときに、不正開封防止封緘リングの係止ラチェット片が乗り越えられるように、螺着方向側に傾斜滑面を設け、キャップを注出口具から螺脱するときに、不正開封防止封緘リングの係止ラチェット片と係合するように螺脱方向側に係合面を設けるものである。
【００１６】
そして、本実施形態１及び２の不正開封防止封緘リング付口栓の液体紙容器への内付けによる取り付けは、注出口具の注出筒に不正開封防止封緘リング付キャップを螺着し、この不正開封防止封緘リング付口栓（１０）を、図１に示すように、液体紙容器（２０）の口栓取付孔（２１）に、注出口具（２００）の環状台座部（２１０）まで突出させて、不正開封防止封緘リング（１２０）の外周面に設けられている下方開きに傾斜する４個の仮係着フラップ（１２１）により液体紙容器の口栓取付孔に仮係着したのち、液体紙容器の内面と口栓のフランジ上面とを超音波シール法などによって熱融着するものである。
【図面の簡単な説明】
【００１７】
【図１】実施形態１及び２の不正開封防止封緘リング付口栓の正面図である。
【図２】不正開封防止封緘リングの外周面に、仮係着フラップを設け、内周面に、係止フラップを設けた実施形態１の不正開封防止封緘リング付キャップの底面図である。
【図３】実施形態１の不正開封防止封緘リングの外周面に設けられた仮係着フラップ及び内周面に設けられた係止フラップの状態を示す説明図である。
【図４】不正開封防止封緘リングの外周面に、仮係着フラップを設け、内周面に、係止ラチェット片を設けた実施形態２の不正開封防止封緘リング付キャップの底面図である。
【図５】実施形態２の不正開封防止封緘リングの外周面に設けられた仮係着フラップ及び内周面に設けられた係止ラチェット片の状態を示す説明図である。
【図６】従来の一例の不正開封防止封緘リング付口栓の正面図である。
【符号の説明】
【００１８】
１０……口栓
２０……液体紙容器
２１……口栓取付孔
１００……キャップ
１０１……脆弱ブリッジ
１１０……キャップ本体
１１１……周壁
１１２……雌ネジ
１２０……封緘リング
１２１……仮係着フラップ
１２２……係止フラップ
１２３……係止ラチェット片
２００……注出口具
２１０……環状台座部
２１１……仮係着突起
２２０……注出筒
２３０……フランジ
【図１】
0004608939.tif 000002
【図２】
0004608939.tif 000003
【図３】
0004608939.tif 000004
【図４】
0004608939.tif 000005
【図５】
0004608939.tif 000006
【図６】
0004608939.tif 000007